【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  枚葉に印刷器内でまたは複写器内で印刷するための方法であって、
設定された数（Ｎ）の枚葉を１つの群にまとめ、この場合、枚葉が、転写速度において、搬送方向で見て１つの枚葉の長さよりも小さい設定された間隔（ａ）を互いに有しており、
前記群の枚葉を第１の印刷機構（Ｄ１）に連続的に供給して、第１の色を第１の面に印刷し、
その後、前記群の枚葉を第２の印刷機構（Ｄ２）に連続的に供給して、第２の色を第１の面に印刷し、
前記群の枚葉を、該枚葉を反転させて、再度第１の印刷機構（Ｄ１）に連続的に供給して、第１の色を第２の面に印刷することを特徴とする、枚葉に印刷器内でまたは複写器内で印刷するための方法。
【請求項２】  前記群の枚葉を第２の印刷機構（Ｄ２）に供給して、第２の色を第２の面に印刷し、その後、排出する、請求項１記載の方法。
【請求項３】  前記群の枚葉の搬送の間、該枚葉の間の間隔を印刷機構（Ｄ１，Ｄ２）で主として維持する、請求項１または２記載の方法。
【請求項４】  前記群の枚葉を第１の印刷機構（Ｄ１）に供給区分（２８）から第１の転写搬送路（４４）を介して供給し、該第１の転写搬送路（４４）に接続通路（４８）が続いており、該接続通路（４８）を介して枚葉を第２の印刷機構（Ｄ２）に対する第２の転写搬送路（４６）に供給し、該第２の転写搬送路（４６）が、排出区分（４２）に開口しており、該排出区分（４２）と接続通路（４８）の一方の端部との間に、枚葉の搬送のための導出通路（５２）が設けられており、供給区分（２８）と接続通路（４８）の他方の端部との間に供給通路（５０）が配置されている、請求項１から３までのいずれか１項記載の方法。
【請求項５】  前記群の枚葉を、まず、第１の転写搬送路（４４）、その後、接続通路（４８）、第２の転写搬送路（４６）、導出通路（５２）、再度、接続通路（４８）、供給通路（５０）、第１の転写搬送路（４４）、接続通路（４８）および第２の転写搬送通路（４６）を通走させ、その後、排出区分（４２）で排出する、請求項４記載の方法。
【請求項６】  枚葉に印刷器内でまたは複写器内で印刷するための方法であって、
設定された数（Ｎ）の枚葉を１つの群にまとめ、この場合、枚葉が、転写速度において、搬送方向で見て１つの枚葉の長さよりも小さい設定された間隔（ａ）を互いに有しており、
前記群の枚葉を第１の印刷機構（Ｄ１）に連続的に供給して、第１の色を第１の面に印刷し、
前記群の枚葉を、該枚葉を反転させて、再度第１の印刷機構（Ｄ１）に連続的に供給して、第１の色を第２の面に印刷し、
その後、前記群の枚葉を第２の印刷機構（Ｄ２）に供給して、第２の色を第２の面に印刷し、その後、排出することを特徴とする、枚葉に印刷器内でまたは複写器内で印刷するための方法。
【請求項７】  前記群の枚葉を第１の印刷機構（Ｄ１）に供給区分（２８）から第１の転写搬送路（４４）を介して供給し、該第１の転写搬送路（４４）に接続通路（４８）が続いており、該接続通路（４８）を介して枚葉を第２の印刷機構（Ｄ２）に対する第２の転写搬送路（４６）または供給通路（５０）に供給し、第２の転写搬送路（４６）が、排出区分（４２）に開口しており、該排出区分（４２）と接続通路（４８）の一方の端部との間に、枚葉の搬送のための導出通路（５２）が設けられており、供給区分（２８）と接続通路（４８）の他方の端部との間に供給通路（５０）が配置されている、請求項６記載の方法。
【請求項８】  前記群の枚葉を、まず、第１の転写搬送路（４４）、その後、接続通路（４８）、供給通路（５０）、再度、第１の転写搬送路（４４）、接続通路（４８）および、その後、第２の転写搬送通路（４６）を通走させ、排出区分（４２）で排出する、請求項７記載の方法。
【請求項９】  供給区分（２８）が、第１の切り替え器（Ｗ１）を有しており、該第１の切り替え器（Ｗ１）が、枚葉を供給区分（２８）または供給通路（５０）から第１の転写搬送路（４４）に供給する、請求項１から８までのいずれか１項記載の方法。
【請求項１０】  第１の転写搬送路（４４）と接続通路（４８）との間の接続箇所にならびに第２の転写搬送路（４６）と接続通路（４８）との接続箇所に第２の切り替え器（Ｗ２）もしくは第３の切り替え器（Ｗ３）を配置する、請求項１から９までのいずれか１項記載の方法。
【請求項１１】  第２の転写搬送路（４６）と導出通路（５２）との間に第４の切り替え器（Ｗ４）が配置されている、請求項１から１０までのいずれか１項記載の方法。
【請求項１２】  第２、第３および／または第４の切り替え器（Ｗ２〜Ｗ４）が、枚葉を反転させる反転機能を果たす、請求項１から１１までのいずれか１項記載の方法。
【請求項１３】  枚葉を反転させるために、該枚葉を、まず、各切り替え器（Ｗ２，Ｗ３，Ｗ４）を通過させて第１の搬送路において一方の搬送方向で反転区分（４２，５０）に搬送し、その後、搬送方向を逆転させ、切り替え器（Ｗ２，Ｗ３，Ｗ４）が、枚葉を第２の搬送路に他方の搬送方向で搬送する、請求項１２記載の方法。
【請求項１４】  前記群の枚葉の２回の供給後、第１の転写搬送路（４４）に、前記群の最後の枚葉に続いて、後続の群の枚葉の第１の枚葉を供給する、請求項１から１３までのいずれか１項記載の方法。
【請求項１５】  先行の群の枚葉の最後の枚葉と、後続の群の最初の枚葉との間の距離間隔が、設定された間隔にほぼ相当する、請求項１４記載の方法。
【請求項１６】  第１の転写搬送路（４４）と、接続通路（４８）と、供給通路（５０）とが、閉じられた第１の搬送路（Ｒ１）を形成する、請求項３または７記載の方法。
【請求項１７】  第２の転写搬送路（４６）と、接続通路（４８）と、導出通路（５２）とが、枚葉に対する閉じられた第２の搬送路（Ｒ２）を形成する、請求項３または７記載の方法。
【請求項１８】  閉じられた第１の搬送路（Ｒ１）と、閉じられた第２の搬送路（Ｒ２）とが、ほぼ同じ長さである、請求項１６または１７記載の方法。
【請求項１９】  １つの群の枚葉の設定された数を、数式：
Ｎ＝ＩＮＴ｛（Ｌ４４＋Ｌ４８＋Ｌ５０）／（ＬＢ＋ａ）｝
に対して獲得し、
この場合、Ｌ４４が、第１の転写搬送路（４４）の長さであり、Ｌ４８が、接続通路の長さであり、Ｌ５０が、供給通路（５０）の長さであり、ＬＢが、搬送方向で見た枚葉の長さであり、ａが、転写速度における連続する２つの枚葉の間隔である、請求項３または７記載の方法。
【請求項２０】  搬送方向に短い辺を備えたドイツ工業規格Ａ４サイズにおける枚葉に対して、数Ｎが６に等しく、搬送方向における長い辺に対して、数Ｎが３に等しい、請求項１から１９までのいずれか１項記載の方法。
【請求項２１】  各印刷機構（Ｄ１；Ｄ２）が、リング（Ｒ１；Ｒ２）の形の搬送路を有しており、該搬送路が、接続通路（４８）によって互いに接続されており、該接続通路（４８）内で前記群の枚葉の少なくとも一部を第１のリング（Ｒ１）と第２のリング（Ｒ２）とに交互に供給する、請求項１から２０までのいずれか１項記載の方法。
【請求項２２】  接続通路（４８）内で、リング（Ｒ１，Ｒ２）への枚葉の交互の供給および／または印刷機構（Ｄ１，Ｄ２）の近くまでの枚葉の搬送を、印刷機構（Ｄ１，Ｄ２）の転写速度に比べて高められた速度で行う、請求項２１記載の方法。
【請求項２３】  接続通路（４８）が、両方のリング（Ｒ１，Ｒ２）の一部であり、枚葉を一方向にしか搬送しない、請求項２１または２２記載の方法。
【請求項２４】  前記群の枚葉が第１の印刷機構（Ｄ１）を再度通過した後、枚葉を排出するかまたは枚葉を第２の印刷機構（Ｄ２）に供給して、第２の色を第２の面に印刷し、その後、排出する、請求項２１から２３までのいずれか１項記載の方法。
【請求項２５】  前記群の枚葉の搬送の間、該枚葉の間隔を印刷機構（Ｄ１，Ｄ２）で主として維持する、請求項１から２４までのいずれか１項記載の方法。
【請求項２６】  前記群の枚葉を、まず、第１の転写搬送路（４４）、その後、接続通路（４８）、第２の転写搬送路（４６）、導出通路（５２）、再度、接続通路（４８）、供給通路（５０）、第１の転写搬送路（４４）を通走させ、その後、排出区分（４２）で排出することを特徴とする、請求項３または７記載の方法。
【請求項２７】  １つの群の枚葉の設定された数を、数式：
Ｎ≦ＩＮＴ｛（Ｌ４４＋Ｌ４６＋Ｌ４８＋Ｌ５０＋Ｌ５２）／（ＬＢ＋ａ）｝
に対して獲得し、
この場合、Ｌ４４が、第１の転写搬送路（４４）の長さであり、Ｌ４６が、第２の転写搬送路（４６）の長さであり、Ｌ４８が、接続通路（４８）の長さであり、Ｌ５０が、供給通路（５０）の長さであり、Ｌ５２が、導出通路（５２）の長さであり、ＬＢが、搬送方向で見た枚葉の長さであり、ａが、転写速度における連続する２つの枚葉の間隔である、請求項３または７記載の方法。
【請求項２８】  搬送方向に短い辺を備えたドイツ工業規格Ａ４サイズにおける枚葉に対して、数Ｎが１１に等しい、請求項２１から２７までのいずれか１項記載の方法。
【請求項２９】  トリガされない運転形式の場合、一方のリング（Ｒ２）の、差し込みたい枚葉を接続通路（４８）にコンスタントな速度で供給し、該コンスタントな速度で、他方のリング（Ｒ１）から到来する枚葉の間に差し込む、請求項２１から２８までのいずれか１項記載の方法。
【請求項３０】  枚葉を搬送路で第４の切り替え器（Ｗ４）から第６の切り替え器（Ｗ６）にまでほぼコンスタントな速度で搬送する、請求項２９記載の方法。
【請求項３１】  トリガされる運転形式の場合、一方のリング（Ｒ２）の、差し込みたい枚葉の搬送を、差し込まれる少なくとも１つの枚葉の目下の位置に関連して行う、請求項２１から３０までのいずれか１項記載の方法。
【請求項３２】  差し込みたい枚葉をその速度での接続通路への接近前に減速させるかまたは停止させる、請求項３１記載の方法。
【請求項３３】  枚葉に印刷器内でまたは複写器内で印刷するための方法において、
枚葉を第１の印刷機構（Ｄ１）に連続的に供給して、第１の面に第１の色を印刷し、
その後、枚葉を第２の印刷機構（Ｄ２）に連続的に供給して、第２の色を第１の面に印刷し、
枚葉を、該枚葉を反転させて、再度第１の印刷機構（Ｄ１）に連続的に供給して、第１の色を第２の面に印刷し、
この場合、枚葉が、転写速度において、搬送方向で見て１つの枚葉の長さよりも小さい設定された呼び間隔（ａ）を互いに有しており、
この場合、連続的な運転形式において、第２の各枚葉しか紙供給部（１６）から引き込まず、
この場合、引き込まれた枚葉の間隔によって生ぜしめられる枚葉相互の間の空所を、すでに印刷された先行する枚葉によって補填することを特徴とする、枚葉に印刷器内でまたは複写器内で印刷するための方法。
【請求項３４】  紙供給部（１６）から引き込まれた連続する２つの枚葉の間の間隔が、各枚葉長さと呼び間隔（ａ）との合計に等しい、請求項３３記載の方法。
【請求項３５】  両印刷機構（Ｄ１，Ｄ２）を時間最適化して完全負荷することができる連続的な枚葉流を発生させる、請求項３３または３４記載の方法。
【請求項３６】  枚葉を紙供給部（１６）から、供給区分（２８）に配置された第１の切り替え器（Ｗ１）を介して第１の印刷機構（Ｄ１）に搬送し、印刷機構（Ｄ１，Ｄ２）の間に配置された第２の切り替え器（Ｗ２）での枚葉のコントロールされた差込みのために、搬送調整区間が、第２の切り替え器（Ｗ２）の領域に設けられている、請求項３３から３５までのいずれか１項記載の方法。
【請求項３７】  −枚葉を第１の印刷機構（Ｄ１）に供給区分（２８）から第１の転写搬送路（４４）を介して供給し、該第１の転写搬送路（４４）に接続通路（４８）が続いており、該接続通路（４８）を介して枚葉を第２の印刷機構（Ｄ２）に対する第２の転写搬送路（４６）に供給し、
−該第２の転写搬送路（４６）が、排出区分（４２）に開口しており、該排出区分（４２）と接続通路（４８）の一方の端部との間に、枚葉の搬送のための導出通路（５２）が設けられており、
−供給区分（２８）と接続通路（４８）の他方の端部との間に供給通路（５０）が配置されている、請求項３３から３６までのいずれか１項記載の方法。
【請求項３８】  差し込みたい枚葉をその速度での接続通路（４８）への接近前に減速させるかまたは停止させる、請求項３７記載の方法。
【請求項３９】  枚葉の群を、まず、第１の転写搬送路（４４）、その後、接続通路（４８）、第２の転写搬送路（４６）、導出通路（５２）、再度、接続通路（４８）、供給通路（５０）、第１の転写搬送路（４４）、接続通路（４８）および第２の転写搬送路（４６）を通走させ、その後、排出区分（４２）で排出する、請求項３７または３８記載の方法。
【請求項４０】  印刷器が、両印刷機構（Ｄ１，Ｄ２）を有する高出力印刷器である、請求項３３から３９までのいずれか１項記載の方法。
【請求項４１】  枚葉に両印刷機構（Ｄ１，Ｄ２）で電子複写法により印刷する、請求項３３から４０までのいずれか１項記載の方法。
【請求項４２】  第１の色が、第２の色と異なっている、請求項３３から４１までのいずれか１項記載の方法。
【請求項４３】  枚葉の搬送の間、該枚葉の間の間隔を印刷機構（Ｄ１，Ｄ２）で主として維持する、請求項３３から４２までのいずれか１項記載の方法。
【請求項４４】  連続的な運転形式を備えた印刷機器または複写機器において、
枚葉が、第１の印刷機構（Ｄ１）に連続的に供給されて、第１の面に第１の色が印刷されるようになっており、
その後、枚葉が、第２の印刷機構（Ｄ２）に連続的に供給されて、第２の色が、第１の面に印刷されるようになっており、
枚葉が、該枚葉を反転して、再度第１の印刷機構（Ｄ１）に連続的に供給されて、第１の色が、第２の面に印刷されるようになっており、
枚葉が、転写速度において、搬送方向で見て１つの枚葉の長さよりも小さい設定された呼び間隔（ａ）を互いに有しており、
連続的な運転形式において、第２の各枚葉しか紙供給部（１６）から引き込まれないようになっており、
引き込まれた枚葉の間隔によって生ぜしめられる枚葉相互の間の空所が、すでに印刷された先行する枚葉によって補填されるようになっていることを特徴とする、連続的な運転形式を備えた印刷機器または複写機器。
【請求項４５】  紙供給部（１６）から引き込まれた連続する２つの枚葉の間の間隔が、各枚葉長さと呼び間隔（ａ）との合計に等しい、請求項４４記載の機器。
【請求項４６】  両印刷機構（Ｄ１，Ｄ２）を時間最適化して完全負荷することができる連続的な枚葉流が発生させられるようになっている、請求項４４または４５記載の機器。
【請求項４７】  枚葉が、紙供給部（１６）から、供給区分（２８）に配置された第１の切り替え器（Ｗ１）を介して第１の印刷機構（Ｄ１）に搬送されるようになっており、印刷機構（Ｄ１，Ｄ２）の間に配置された第２の切り替え器（Ｗ２）での枚葉のコントロールされた差込みのために、搬送調整区間が、第２の切り替え器（Ｗ２）の領域に設けられている、請求項４４から４６までのいずれか１項記載の機器。
【請求項４８】  第１の切り替え器（Ｗ１）の領域に別の搬送調整区間が設けられている、請求項４７記載の機器。
【請求項４９】  第１の印刷機構（Ｄ１）に対応配置された第１の転写搬送路（４４）と、第２の印刷機構（Ｄ２）に対応配置された第２の転写搬送路（４６）との間に接続通路（４８）が設けられており、該接続通路（４８）に第２の切り替え器（Ｗ２）と第３の切り替え器（Ｗ３）とが配置されており、両切り替え器（Ｗ２，Ｗ３）を介して、両転写搬送路（４４，４６）が、供給通路（５０）と導出通路（５２）とに接続されている、請求項４４から４８までのいずれか１項記載の機器。
【請求項５０】  第２の転写搬送路（４６）と導出通路（５２）との間に第４の切り替え器（Ｗ４）が配置されている、請求項４９記載の機器。
【請求項５１】  第２、第３および／または第４の切り替え器（Ｗ１〜Ｗ４）が、１つの枚葉に対する反転機能を果たすようになっている、請求項５０記載の機器。
【請求項５２】  第１の転写搬送路（４４）と、接続通路（４８）と、供給通路（５０）とが、閉じられた第１の搬送路（Ｒ１）を形成している、請求項４４から５１までのいずれか１項記載の機器。
【請求項５３】  第２の転写搬送路（４６）と、接続通路（４８）と、導出通路（５２）とが、枚葉に対する閉じられた第２の搬送路（Ｒ２）を形成している、請求項４４から５２までのいずれか１項記載の機器。